(57)【要約】【課題】強風等でも倒れず、水遣りが自動的に行われる樹木の栽培装置を提供する。【解決手段】１対の外枠部材１０は、連結部材３０により連結されている。樹木Ｗ１を植えたコンテナ５０は、底面に傾斜面を有し、常時は両側を給水ポットで挟まれている。カバー２０は、雨水を受ける面２４を有し、雨水は穴２６を通って給水ポットへ溜められる。台風等の際には、カバー２０と片側の給水ポットと、連結部材３０を取り外し、コンテナ５０を傾斜面が設置するように傾倒させて強風を避ける給水ポットとコンテナはパイプで連結されている。【選択図】        図２
2004344097.tif 000002
【特許請求の範囲】
【請求項１】
樹木を植える箱形のコンテナと、コンテナの両側に配設される給水ポットと、コンテナ及び給水ポットを保持する１対の外枠と、外枠を連結する連結部材と、コンテナ及び給水ポットを覆うカバーを備える栽培装置。
【請求項２】
コンテナの底面は、傾斜面を有し、傾斜面を利用してコンテナは傾倒可能である請求項１記載の栽培装置。
【請求項３】
コンテナと給水ポットを連結するパイプを備える請求項１記載の栽培装置。
【請求項４】
カバーは、雨水を受ける受水部と、受水部の水を給水ポットへ送る細穴を備える請求項１記載の栽培装置。
【請求項５】
連結部材は、外枠に対して着脱自在に取り付けられる２本の部材を備える請求項１記載の栽培装置。
【発明の詳細な説明】
【０００１】
【発明の属する技術分野】
本発明は、果樹等の栽培に使用する栽培装置に関する。
【０００２】
【従来の技術】
果樹等の樹木を鉢に植えて栽培する際に、強風により鉢ごと倒れることが問題となる。
下記の特許文献１には、樹木の傾倒を防止するアンカーが開示されている。
【０００３】
【特許文献１】
特開平５−１８４２４８号公報
【０００４】
【発明が解決しようとする課題】
樹木を鉢等の容器に植えて栽培する際には、強風による傾倒を防止することや、適度の給水等を確保することが重要である。
また、樹木を剪定したり、果実の摘み取り作業等を容易にすることも望まれる。
本発明は、上述した要件を満足する栽培装置を提供するものである。
【０００５】
【課題を解決するための手段】
本発明の栽培装置は、基本的手段として、樹木を植える箱形のコンテナと、コンテナの両側に配設される給水ポットと、コンテナ及び給水ポットを保持する１対の外枠と、外枠を連結する連結部材と、コンテナ及び給水ポットを覆うカバーを備える。そして、コンテナの底面は、傾斜面を有し、傾斜面を利用してコンテナは傾倒可能であり、コンテナと給水ポットを連結するパイプを備える。
【０００６】
また、カバーは、雨水を受ける受水部と、受水部の水を給水ポットへ送る細穴を備え、連結部材は、外枠に対して着脱自在に取り付けられる２本の部材を備える。
【０００７】
【発明の実施の形態】
図１、図２は、本発明の栽培装置の概要を示す説明図、図３から図７は、栽培装置の構成部材を示す説明図である。
全体を符号１で示す栽培装置は、コンクリートブロック等の重量のある材料でつくられる１対の外枠部材１０を有する。
【０００８】
図３は、外枠部材１０の組立状態を示す説明図である。
外枠部材１０は、コンクリートブロック等でつくられ、脚部１２と、通風用の開口部１４を有する。また、この外枠部材１０には、それぞれ２つのＴ字形の溝１６が設けてあり、この溝１６に連結部材３０を挿入して、２つの外枠部材１０を連結する構造を採用している。
【０００９】
図４は、連結部材３０の外観を示し、金属等でつくられる連結部材３０は、両端に外枠部材のＴ字形溝１６に係合するＴ字形の突起３２を有する。
栽培装置１の上部は、１対のカバー２０で覆われる。１対のカバー２０は、中央に開口部２３を形成し、栽培する樹木Ｗ１が貫通する。
【００１０】
図５は、カバー２０の詳細を示す。カバー２０は周囲を壁２２で囲まれた盆状のもので底面２４で雨水等を受ける。底面２４には、穴２６が設けてあり、溜まった雨水等を下方に配設する給水ポット４０へ供給する。
また、外壁の一部に凹部２５を設けてあり、大雨等の際にオーバーフローした水が外側へこぼれ、樹木Ｗ１に過分の水が入らないようにしている。
【００１１】
図６は、栽培装置１のカバー２０を外した状態を示す説明図である。
この栽培装置には、３個の容器が用いられる。
中央に配置されるコンテナ５０には、培養土とともに栽培する樹木が収容される。
両側に配置される２個の給水ポット４０は、水遣り用の雨水等が貯水される。
【００１２】
図７は、コンテナ５０と給水ポット４０の関係を示す。
コンテナ５０は箱形のもので、底面５１の両側は傾斜面５２に形成されている。底面５１には、水抜き穴５５が設けてある。また、底部には脚部５４が設けてあり、風通しを良くしている。
給水ポット４０には穴４２が設けてあり、コンテナ５０の穴５６の間をパイプ６０で連結してある。
コンテナ５０は、底部に傾斜面５２を有するので、コンテナ５０単体を傾斜面が設置する姿勢に傾倒させることができる。
【００１３】
本発明の栽培装置は以上のように構成してあるので、樹木を植えたコンテナ５０は、両側を連結部材３０により保持されており、傾倒するおそれはない。
しかしながら、台風等の強風が予想される場合には、栽培装置１全体が傾倒することもおこる。この場合には、一方のカバー２０を外し、連結部材３０を外枠部材１０から取り外す。そして、給水ポット４０を取り除くと、コンテナ５０を傾斜面が地面Ｇ等に接する姿勢に傾倒させることができる。
【００１４】
この姿勢にあっては、樹木Ｗ１は強風に対しても充分に耐えることができる。
また、この姿勢にあっては、樹木Ｗ１の剪定や果実等のつみ取り等の作業を容易に行うことができる。
また、水遣りに関しては、給水ポット４０から必要な水が自動的に供給される。
【００１５】
コンテナ５０には、４個の給水穴５６が設けてあるので、パイプ６０で給水ポット４０に連結される給水穴の個数を選択することで、４段階の水量調節を行うことができる。使用しない給水穴５６は栓で塞いでおく。
【００１６】
また、パイプ６０の内部にガーゼを挿入することにより、毛細管現象を利用し、必要最少限の水を与えることができる。
さらに、外枠部材１０にプレート８０を取り付けて、所有者の情報や広告に使用することもできる。
【００１７】
【発明の効果】
本発明の栽培装置は以上のように、樹木を植えたコンテナを安定して起立させておくことができる。そして、台風等の強風時には、コンテナを傾倒させることができるので、強風時の対策が容易となる。また、樹木の剪定等の手入れや、果実等の収穫も容易となる。
【００１８】
樹木の栽培に必要な水は、雨水等を給水ポットに溜め、この水をパイプを介して樹木を植えたコンテナに供給するので、水利のない地域でも栽培を行うことができる。
さらに、必要最少限の水遣りを行うことで、最適な栽培を達成するので、環境汚染を防止し、自然に影響を受けない栽培が可能となる。
【図面の簡単な説明】
【図１】本発明の栽培装置の外観を示す説明図。
【図２】本発明の栽培装置の作用を示す説明図。
【図３】本発明の栽培装置の要部を示す説明図。
【図４】連結部材の説明図。
【図５】カバーの説明図。
【図６】本発明の栽培装置の要部を示す説明図。
【図７】コンテナと給水ポットの説明図。
【符号の説明】
１  栽培装置
１０  外枠部材
２０  カバー
３０  連結部材
４０  給水ポット
５０  コンテナ
【図１】
2004344097.tif 000003
【図２】
2004344097.tif 000004
【図３】
2004344097.tif 000005
【図４】
2004344097.tif 000006
【図５】
2004344097.tif 000007
【図６】
2004344097.tif 000008
【図７】
2004344097.tif 000009